(57)【特許請求の範囲】
【請求項１】
購入代金などを投入すると共に、年齢情報と病名・病歴情報とを含む個人情報を記録してあるＩＣカードを自動販売機装置に読み取らせて、所定情報を読み出し、その読み出しデータと自動販売機装置側に予め記憶させてあるデータとを比較することで購入適否の有無を判断して、購入が適当と判断された場合のみ物品を販売する自動販売機装置の販売制御方式を搭載した自動販売機装置。
【発明の詳細な説明】
【０００１】
【産業上の利用分野】
本発明は、自動販売機装置に関し、さらに詳しくは、所定の物品が収納され、金銭あるいは金銭に準ずる部材を挿入することにより所望の物品が搬出される自動販売機であって、購入者の購入資格を判別した後物品を販売する自動販売機装置の販売制御方式を搭載した自動販売機装置に関するものである。
【０００２】
【従来の技術】
自動販売機装置は商品の販売上において、人手を必要とせず無人状態で稼働でき管理費用が節減できる便利さと、利用者が簡単に目的の商品を購入できる便利さとが一致して日本国内にあっては数百万台もの自動販売機装置が普及するに至っており、これによれば、誰でも好きなときに自動販売機装置によりタバコや清涼飲料、あるいは酒類などを自由に購入することができる。
【０００３】
これらの物品を自動販売機装置において購入する時には、まず金銭（硬貨や紙幣）あるいは金銭に準ずるもの、例えばプリペイドカードなどを自動販売機が備える金銭投入部に投入あるいは挿入し、次いで所望の物品を選択することにより該所望の物品が外部に搬出され、それを購入することができるものであって、この購入操作には全く人手が参加しておらず、いわゆる無人化されており省力化の点では大変便利になっている。
【０００４】
【発明が解決しようとする課題】
従来の自動販売機装置は、上述のような構成になっているので、金銭を所持してさえいれば、未成年者であってもタバコや酒類の自動販売機を操作して自由にタバコや酒類を購入することができ、この便利さが未成年者をタバコ、酒誘惑に引きずり込む原因にもなっている。
【０００５】
また、糖尿病患者などのように、飲酒を制限あるいは禁止されている者、あるいは肺疾患者などのように、喫煙を制限あるいは禁止されている者であっても自動販売機により酒類やタバコを購入することができる。したがって、これらの患者が誘惑に負けて飲酒や喫煙をしてしまう恐れがあり、回復が遅れたり、病状が悪化してしまうことがあり、健康管理上問題があった。
【０００６】
そこで本発明は、タバコや酒類などの特定の物品を購入する際に少なくとも、年齢をチェックすることで購入資格の有無を判断し、物品の購入を制限あるいは禁止されている者には、前記特定の物品を販売することがないようにした自動販売機装置を提供することを目的としている。
【０００７】
【課題を解決するための手段】
上述のような目的を達成するために、本発明にかかる自動販売機装置は、購入代金などを投入すると共に、年齢情報と病名・病歴情報とを含む個人情報を記録してあるＩＣカードを自動販売機装置に読み取らせて、所定情報を読み出し、その読み出しデータと自動販売機装置側に予め記憶させてあるデータとを比較することで購入適否の有無を判断して、購入が適当と判断された場合のみ物品を販売する自動販売機装置の販売制御方式を搭載している。
【０００８】
【作用】
本発明によれば、読出し手段によりＩＣカードに記録されている個人特有情報、すなわち年齢情報、疾患情報などの所定認識データを読出し、該認識データを判別手段により判別し、その結果に基づき制御手段が自動販売機装置の物品搬出動作を制御する。例えば、ＩＣカードに認識データとして年齢が記録され、判別手段は該認識データから年齢２０才未満であるかを判別し、そうであれば未成年であると判別して金銭あるいは金銭に準ずる部材を挿入しても、自動販売機装置から物品が搬出されないように制御手段を制御する。
また、個人資格情報として年齢はもとより個人特有の疾患情報が記録されていれば、判別手段は該認識データから疾患者の病名あるいや病歴から購入が不適当な物品である場合に自動販売機を利用できない旨の表示を行い、自動販売機装置から物品が搬出されないように制御する。
本発明は磁気カードと異なり、改竄の虞の無いＩＣカードを記録媒体として用いたことにより、個人特定が可能になり、さらには与信データなどを記録しておくと決済などにも便利であるなど用途は広範囲にわたり利用することができる。
【０００９】
【実施例】
以下、本発明の一実施例を図面に基づいて説明する。図１において、符号１は金銭を挿入する金銭挿入部、２は該金銭挿入部１に挿入された金銭の金額を計算するカウンタ部、３は自動販売機に収納されている複数種類の物品の中から所望の物品を選択する選択ボタン、４は前記収納された物品を外部に搬出する搬出部、５は該搬出部４を駆動する駆動部、６は少なくとも、生年月日あるいは年齢、など個人を特定する情報を記録してあるもの、詳しくは免許証、さらには病気の履歴などの所定認識データが記録された診察券や、健康保険証など記録媒体としてのＩＣカード、７は該ＩＣカードを挿入するＩＣカード挿入部、８はＩＣカード６に記録された認識データを読出す読出し手段としてのデータ読出し部、９は自動販売機の利用者に操作案内を表示したり使用不適当の表示などを行なう表示部、１０は前記認識データと比較する比較データを発生するための比較データ発生部、１１はカウンタ部２、選択ボタン３、データ読出し部８、表示部９、駆動部５および比較データ発生部１０が接続されたＣＰＵを示し、判別手段と制御手段として機能する。
なお、自動販売機内には前記金銭挿入部１ないし駆動部５と、ＩＣカード挿入部７ないしＣＰＵ１１を備えている。
【００１０】
ＩＣカードには図２に示すようにカードの種類を示す識別データと共に、氏名、性別、住所、生年月日の各データが記録されており、これらのデータは例えば運転免許証や管轄の役所に保管されている住民票などに基づき設定されるものであり、これらの運転免許証や自動販売機を販売するメーカや管轄の役所などに提出することにより該メーカや役所などの所定機関よりＩＣカードが発行される。あるいは運転免許証や住民票などがＩＣカードの形態になっていれば、これらを直接利用することができる。
【００１１】
また、ＩＣカードの他の実施例として図３に示すように、病院の診断書に基づき病院名識別データと共に、氏名、性別、住所、生年月日、治療を受けている科（内科や外科など）、担当医師、病名、病歴の各種データが記録されており、該ＩＣカードが該病院から発行される。
なお、診察券がＩＣカードとなっており、そこに前記各種項目が記録されているものであればそれを利用することができる。
【００１２】
以下、図２に示すＩＣカード６を使用したときのＣＰＵ１１が行なう処理について図４に示すフォローチャートと共に説明する。
比較データ発生部１０は本日の年月日を演算するためのプログラムが内蔵されているＲＯＭであり、ＣＰＵ１１は該プログラムを実行することにより本日の年月日を演算し、ＣＰＵ１１の内部記憶領域に該本日の年月日を記憶しておく。
また、自動販売機が何も動作していない状態では表示部９には利用者が所持しているＩＣカード６をＩＣカード挿入部７に挿入する旨の表示がなされている。
【００１３】
かかる初期状態において、ＩＣカード６がＩＣカ−ド挿入部７に挿入されると、データ読出し部８がＩＣカード６に記録されている識別データを読出し、ステップＳ１でＣＰＵ１１に該識別データを入力する。次にステップＳ２に進み、ステップＳ１で入力された識別データが当該自動販売機で使用できるものであるか否かの妥当性判断を行ない、使用できないものであればステップＳ１２に分岐して、表示部９にこのＩＣカード６では当該自動販売機を使用できない旨の表示を行なった後、処理を終了する。
【００１４】
一方、ステップＳ２において挿入されたＩＣカード６が妥当であると判別されるとステップＳ３に進み、読出し部８に対してＩＣカード６に記録された生年月日データを読出すように指示し、該生年月日データをＣＰＵ１１に入力する。次にステップＳ４にてＣＰＵ１１の内部記憶領域に記憶されている本日の年月日を比較データとしてＣＰＵ１１の演算処理部に転送する。
【００１５】
次に、ステップＳ５において、ステップＳ３でＩＣカード６から読出された生年月日データとステップＳ４の比較データ（本日の年月日）とを比較し、（本日の年月日−生年月日データ）の演算を行ない、該演算結果が２０年であるか否かを判別する。
【００１６】
２０年未満でなければ、ＣＰＵ１１は当該ＩＣカード６を所持している者の年齢は２０才以上であり未成年ではないと判別し、ステップＳ６に進んで表示部９に金銭挿入部１に金銭を挿入する旨の指示表示を行なうように指示し、金銭挿入部１に所定の金銭が挿入されるとカウンタ部２が該金銭の金額の計算を行ない、ステップＳ７にて該計算された金額データをＣＰＵ１１に入力する。
【００１７】
次に、ステップＳ８で挿入された金銭の金額が収納されている物品の金額以上であるかを判別し、そうであればステップＳ９に進み、表示部９に所望の物品を選択ボタン３から選択する旨の指示表示を行なうように指示する。
【００１８】
次に、ステップＳ１０において選択ボタン３が操作されたかを判別し、操作されたならばステップＳ１１に進み、駆動部５を駆動し、前記選択された物品が搬出部４より外部に搬出するように制御する。これにより使用者は所望の物品を購入することができる。
【００１９】
ステップＳ５において、２０年未満であれば、ＣＰＵ１１は当該ＩＣカード６を所持している者の年齢は２０才未満の未成年であると判別し、ステップＳ１３に進んで表示部９に未成年であるので自動販売機は利用できない旨の表示を行なうように指示して処理を終了する。
【００２０】
これ以後は、たとえ金銭を挿入してもＣＰＵ１１はこれを受付けずに該金銭を返却し、駆動部５を不動作として物品を外部に搬出しないようにする。
【００２１】
なお、前述の実施例において、ＩＣカード６に生年月日に代えて年齢データを記録するようにしてもよい。その場合には比較データ発生部１０に比較データとして数値２０を設定し、図４のフローチャートにおいて、ステップＳ３で該年齢データを読出し、ステップＳ４で数値２０を転送し、次いでステップＳ４にて年齢データと数値２０とを比較して未成年者であるか否かの判別を行なう。
【００２２】
次に、図３に示すＩＣカード６を使用したときのＣＰＵ１１が行なう処理について図５に示すフローチャートと共に説明する。
かかる実施例においては、比較データ発生部１０はＲＡＭやＲＯＭにより構成し、該ＲＡＭ、ＲＯＭに当該自動販売機の物品を購入してはならない病名あるいは病歴（例えば糖尿病や肺疾患）を記憶しておく。そして、ＣＰＵ１１の内部記憶領域に該病名あるいは病歴を記憶しておく。
【００２３】
以下、図４のフローチャートと異なるステップを説明する。
ステップＳ３：読出し部８に対してＩＣカード６に記録された病名あるいは病歴データを読出すように指示し、該病名あるいは病歴データをＣＰＵ１１に入力する。
【００２４】
ステップＳ４：ＣＰＵ１１の内部記憶領域に記憶されている病名あるいは病歴を比較データとしてＣＰＵ１１の演算処理部に転送する。
【００２５】
ステップＳ５：ステップＳ３でＩＣカード６から読出された病名あるいは病歴データとステップＳ４の比較データ（病名あるいは病歴データ）とを比較し、ＩＣカード６の病名あるいは病歴の中に、比較データの病名あるいは病歴データと一致するものがあるか否かを判別する。
【００２６】
ステップＳ１３：表示部９に所定の病気、疾患のため自動販売機は利用できない旨の表示を行なうように指示して処理を終了する。
これ以後は、たとえ金銭を挿入してもＣＰＵ１１はこれを受付けずに該金銭を返却し、駆動部５を不動作として物品を外部に搬出しないようにする。
【００２７】
なお、以上の各実施例において、ＩＣカード６に代えて、他の記録媒体を用いてもよく、最も簡単に実施するのであれば、現行の運転免許証の記載事項の中から年齢情報（生年月日）を読み出して購入者の年齢を判断した後適格者のみに物品を供給するようにすることができる。
【００２８】
【発明の効果】
以上説明したように、本発明によれば、タバコや酒類などの特定の物品を購入することが制限あるいは禁止されている者が、前記特定の物品を販売している自動販売機を操作しても購入できない方式を搭載して構成したから、購入者の適格を判断してから物品の販売を行うので、未成年者による酒類、タバコ購入を妨げて得、酒タバコによる非行を未然に防止することができ、また、疾患者には病気の回復が遅れたり、病状が悪化してしまうことも防止することができ健康管理上にも有益である。
【図面の簡単な説明】
【図１】本発明の実施例を示すブロック図である。
【図２】本発明のＩＣカードの記録内容を示す図である。
【図３】本発明のＩＣカードの他の記録内容を示す図である。
【図４】図１のＣＰＵが処理する内容を示すフローチャートである。
【図５】図１のＣＰＵが処理する他の内容を示すフローチャートである。
【符号の説明】
１      金銭挿入部
２      カウンタ部
３      選択ボタン
４      搬出部
５      駆動部
６      ＩＣカード
７      ＩＣカード挿入部
８      データ読出し部
９      表示部
１０    比較データ発生部
１１    ＣＰＵ
【図１】
0003574460.tif 000002
【図２】
0003574460.tif 000003
【図３】
0003574460.tif 000004
【図４】
0003574460.tif 000005
【図５】
0003574460.tif 000006